(57)【要約】      （修正有）【課題】建物の構造物に簡易に設置することができる玄関子機、玄関子機セット及びインターホンシステムを提供する。【解決手段】玄関子機１０は、集合施設に設けられるインターホン親機と通信する通信部と、通信部を収納する筐体１１と、筐体１１の背面１１ｂ側に設けられ、かつ、インターホン親機を集合施設の幹線に接続するための分岐器４０が取り付けられる取付部１３とを備える。取付部１３は、筐体１１の背面側の異なる位置にて分岐器が取り付けられる複数の取付領域を凹部１４に有する。【選択図】図５Ｂ
2020113936.tif 000002
【特許請求の範囲】
【請求項１】
集合施設に設けられる情報端末と通信する通信部と、
前記通信部を収納する筐体と、
前記筐体の背面側に設けられ、かつ、前記情報端末を前記集合施設の幹線に接続するための分岐器が取り付けられる取付部と
を備え、
前記取付部は、前記筐体の背面側の異なる位置にて前記分岐器が取り付けられる複数の取付領域を有する
玄関子機。
【請求項２】
前記複数の取付領域は、前記筐体の背面側から見て上下方向および左右方向の少なくとも一方の方向に並んでいる
請求項１に記載の玄関子機。
【請求項３】
前記取付部は、前記複数の取付領域のそれぞれにて前記分岐器の位置を規制する複数の位置規制部を有する
請求項２に記載の玄関子機。
【請求項４】
前記取付部は、前記複数の位置規制部の一部である少なくとも１つの第１位置規制部を有し、
前記第１位置規制部は、前記筐体の背面側から見て前記分岐器の前後方向の位置を規制する
請求項３に記載の玄関子機。
【請求項５】
前記取付部は、前記複数の位置規制部の一部である第２位置規制部および第３位置規制部を有し、
前記第２位置規制部および前記第３位置規制部は、前記複数の取付領域のうちの第１の取付領域にて前記分岐器の前記少なくとも一方の方向の位置を規制する
請求項４に記載の玄関子機。
【請求項６】
前記第２位置規制部は、前記複数の取付領域のうちの第２の取付領域にて前記分岐器の前記少なくとも一方の方向の位置を規制する、または、前記第３位置規制部は、前記複数の取付領域のうちの第３の取付領域にて前記分岐器の前記少なくとも一方の方向の位置を規制する
請求項５に記載の玄関子機。
【請求項７】
前記少なくとも１つの第１位置規制部は、前記第２の取付領域および前記第３の取付領域のそれぞれの取付領域にて前記分岐器の前記少なくとも一方の方向の位置を規制する
請求項６に記載の玄関子機。
【請求項８】
前記複数の取付領域は、前記筐体の背面側から見て左右方向に並び、
前記少なくとも１つの第１位置規制部は、一方の第１位置規制部および他方の第１位置規制部を有し、
前記一方の第１位置規制部および前記他方の第１位置規制部は、前記上下方向に互いに対向するように配置されている
請求項５〜７のいずれか１項に記載の玄関子機。
【請求項９】
前記取付部は、前記筐体の背面側から見て前方に窪んだ凹部を有し、
前記一方の第１位置規制部は、前記凹部の上下方向に対向する壁のうち上壁に設けられ、
前記他方の第１位置規制部は、前記対向する壁のうち下壁に設けられている
請求項８に記載の玄関子機。
【請求項１０】
前記第２位置規制部および前記第３位置規制部は、前記下壁に設けられている
請求項９に記載の玄関子機。
【請求項１１】
前記少なくとも１つの第１位置規制部は、前記少なくとも一方の方向に前記分岐器が摺動可能となる状態で前記位置を規制する
請求項４に記載の玄関子機。
【請求項１２】
前記取付部は、前記複数の位置規制部の一部である少なくとも１つの第４位置規制部を有し、
前記第４位置規制部は、前記少なくとも一方の方向における所定の位置で、前記分岐器の前記少なくとも一方の方向における位置を規制する
請求項１１に記載の玄関子機。
【請求項１３】
さらに、前記取付部に浸入した水を排出する複数の排出部を有し、
前記複数の排出部の少なくとも一部は、前記分岐器が前記複数の取付領域のうちの１つの取付領域にて取り付けられた場合に、前記１つの取付領域と異なる他の取付領域に連通する
請求項１〜１２のいずれか１項に記載の玄関子機。
【請求項１４】
請求項１〜１３のいずれか１項に記載の玄関子機と、
前記分岐器と
を備える玄関子機セット。
【請求項１５】
請求項１〜１３のいずれか１項に記載の玄関子機と、
前記情報端末と
を備えるインターホンシステム。
【請求項１６】
請求項１〜１３のいずれか１項に記載の玄関子機と、
前記情報端末と、
前記分岐器と
を備えるインターホンシステム。
【発明の詳細な説明】
【技術分野】
【０００１】
本発明は、インターホン親機などの情報端末と通信する玄関子機、この玄関子機および分岐器を備える玄関子機セット、および、情報端末および玄関子機等を備えるインターホンシステムに関する。
【背景技術】
【０００２】
特許文献１には、インターホン親機と通信する玄関子機（インターホン子機）が開示されている。この玄関子機は、現場の施工状況に応じて、建物の壁などの構造物と玄関子機との間の空間を２段階で変更する構造を有している。
【先行技術文献】
【特許文献】
【０００３】
【特許文献１】特開２０１０−２３２７８６号公報
【発明の概要】
【発明が解決しようとする課題】
【０００４】
しかしながら、現場の施工状況によっては、依然として玄関子機を建物の構造物に設置することが困難な場合がある。
【０００５】
本発明は、建物の構造物に簡易に設置することができる玄関子機等を提供する。
【課題を解決するための手段】
【０００６】
本発明の一態様に係る玄関子機は、集合施設に設けられる情報端末と通信する通信部と、前記通信部を収納する筐体と、前記筐体の背面側に設けられ、かつ、前記情報端末を前記集合施設の幹線に接続するための分岐器が取り付けられる取付部とを備え、前記取付部は、前記筐体の背面側の異なる位置にて前記分岐器が取り付けられる複数の取付領域を有する。
【０００７】
本発明の一態様に係る玄関子機セットは、上記玄関子機と、前記分岐器とを備える。
【０００８】
本発明の一態様に係るインターホンシステムは、上記玄関子機と、前記情報端末とを備える。
【０００９】
本発明の一態様に係るインターホンシステムは、上記玄関子機と、前記情報端末と、前記分岐器とを備える。
【発明の効果】
【００１０】
本発明の玄関子機等によれば、
【図面の簡単な説明】
【００１１】
【図１】実施の形態に係るインターホンシステムを示す模式図である。
【図２】実施の形態に係る玄関子機および分岐器を斜め正面から見た斜視図である。
【図３】玄関子機が取り付けられる建物の構造物の施工状況を示す図である。
【図４Ａ】実施の形態に係る玄関子機および分岐器を斜め背面から見た斜視図である。
【図４Ｂ】図４Ａにおいて、玄関子機から分岐器を取り外した状態を示す図である。
【図５Ａ】実施の形態に係る玄関子機および分岐器を図４Ａとは異なる角度で斜め背面から見た斜視図である。
【図５Ｂ】図５Ａにおいて、玄関子機から分岐器を取り外した状態を示す図である。
【図６】実施の形態に係る玄関子機の背面図である。
【図７Ａ】実施の形態に係る玄関子機の第１の取付領域に分岐器が取り付けられた状態を示す図である。
【図７Ｂ】実施の形態に係る玄関子機の第２の取付領域に分岐器が取り付けられた状態を示す図である。
【図７Ｃ】実施の形態に係る玄関子機の第３の取付領域に分岐器が取り付けられた状態を示す図である。
【図８】実施の形態の変形例１に係る玄関子機の背面図である。
【図９Ａ】実施の形態の変形例１に係る玄関子機の第２の取付領域に分岐器が配置された状態を示す図である。
【図９Ｂ】実施の形態の変形例１に係る玄関子機の第３の取付領域に分岐器が配置された状態を示す図である。
【図１０】実施の形態の変形例２に係る玄関子機の背面図である。
【図１１Ａ】実施の形態の変形例２に係る玄関子機の第２の取付領域に分岐器が配置された状態を示す図である。
【図１１Ｂ】実施の形態の変形例２に係る玄関子機の第３の取付領域に分岐器が配置された状態を示す図である。
【発明を実施するための形態】
【００１２】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１３】
なお、各図は模式図であり、必ずしも厳密に図示されたものではない。また、各図において、実質的に同一の構成に対しては同一の符号を付し、重複する説明は省略または簡略化される場合がある。
【００１４】
（実施の形態）
［１．インターホンシステムの構成および本開示に至る経緯］
まず、インターホンシステムの構成および本開示に至る経緯について、図１〜図３を参照しながら説明する。
【００１５】
図１は、本実施の形態に係るインターホンシステム１を示す模式図である。
【００１６】
インターホンシステム１は、図１に示すような集合施設Ｈ１に設けられる。集合施設Ｈ１は、住居またはオフィスなどの複数の施設１０１、１０２および玄関１００などの共用スペースを備えている。図１には、情報端末２および玄関子機１０が２組だけ示されているが、インターホンシステム１は、実際には、集合施設Ｈ１内の施設数に応じて３組以上の情報端末２および玄関子機１０を備えることがある。
【００１７】
インターホンシステム１は、ロビーインターホン３と、制御装置５と、複数の情報端末２と、複数の玄関子機１０と、複数の分岐器４０とを備えている。
【００１８】
ロビーインターホン３は、来訪者を受け付けるため、集合施設Ｈ１の玄関に設けられる。ロビーインターホン３には、インターホンシステム１の制御を行う制御装置５が接続される。
【００１９】
制御装置５は、インターホンシステム１を制御する装置である。制御装置５は、集合施設の主配線である幹線Ｌ１および分岐器４０を介して情報端末２に接続される。分岐器４０は、例えば１つの施設１０１から他の施設１０２に、幹線Ｌ１を分岐または延長するために設けられる。
【００２０】
情報端末２は、例えばインターホン親機であり、各施設１０１、１０２の部屋内に設置される。情報端末２は、幹線Ｌ１および分岐器４０を介して制御装置５に接続され、また、支線Ｌ２を介して玄関子機１０に接続される。
【００２１】
玄関子機１０は、例えばドアホンであり、各施設１０１、１０２の玄関に設置される。玄関子機１０は、通信部１２を備え、通信部１２および支線Ｌ２を介して情報端末２と通信する。玄関子機１０には、分岐器４０が取り付けられる。
【００２２】
図２は、玄関子機１０および分岐器４０を斜め正面から見た斜視図である。玄関子機１０は、直方体状の形状を有する筐体１１を有している。筐体１１の正面１１ａには、来訪者を撮像するカメラ、音声を入力するマイク、居住者を呼び出す操作キー、および、居住者の声を出力するスピーカなどが設けられる。
【００２３】
玄関子機１０の通信部１２は、筐体１１の内部に設けられている。本実施の形態では、前述した分岐器４０が玄関子機１０の背面、すなわち、筐体１１の背面１１ｂに設けられる。分岐器４０は、筐体１１の背面１１ｂから外側に出っ張っているため、玄関子機１０を建物の壁などの構造物に設置する際に、以下に示すような問題が生じることがある。
【００２４】
図３は、玄関子機１０が取り付けられる建物の構造物１１１の施工状況を示す図である。図３に示すように、構造物１１１には、玄関子機１０を取り付けるための開口部１１２が設けられる。玄関子機１０は、背面１１ｂ側から開口部１１２に挿入され、構造物１１１に設置される。
【００２５】
しかしながら、開口部１１２は現場の施工状況によって開口位置または開口形状が異なることがある。そのため、背面１１ｂから出っ張った分岐器４０および分岐器４０に接続された配線（例えば幹線Ｌ１）が構造物１１１に干渉し、玄関子機１０を構造物１１１に設置することが困難になる場合がある。
【００２６】
それに対し、本実施の形態の玄関子機１０は、分岐器４０を取り付けるための取付部１３が、筐体１１の背面１１ｂ側の異なる位置にて分岐器４０が取り付けられるように、複数の取付領域Ａを有している。これにより、現場の施工状況が異なる場合であっても、その施工状況に合わせて分岐器４０の位置を変えることができ、玄関子機１０を建物の構造物１１１に簡易に設置することができる。
【００２７】
［２．玄関子機および分岐器の構成］
次に、玄関子機１０および分岐器４０の構成について、図４Ａ〜図７Ｃを参照しながら説明する。
【００２８】
図４Ａは、玄関子機１０および分岐器４０を斜め背面から見た斜視図である。図４Ｂは、図４Ａにおいて、玄関子機１０から分岐器４０を取り外した状態を示す図である。図５Ａは、玄関子機１０および分岐器４０を図４Ａとは異なる角度で斜め背面から見た斜視図である。図５Ｂは、図５Ａにおいて、玄関子機１０から分岐器４０を取り外した状態を示す図である。なお、図４Ａ〜図５Ｂには、玄関子機１０および分岐器４０を備える玄関子機セット９が示されている。各図には、玄関子機１０を背面から見た場合の上下方向、左右方向および前後方向が示されている。
【００２９】
図４Ａ〜図５Ｂに示すように、筐体１１の背面１１ｂには、分岐器４０を取り付けるための取付部１３が設けられている。取付部１３は、分岐器４０を着脱自在に支持する。言い換えれば、分岐器４０は、取付部１３に対して着脱可能である。
【００３０】
図４Ｂおよび図５Ｂに示すように、分岐器４０は、筐体１１の背面１１ｂ側から見た場合に、矩形状の形状を有している。分岐器４０は、背面１１ｂから見て、左の側壁４０ｄと右の側壁４０ｅとを有している。分岐器４０には、前述した幹線Ｌ１などの配線が接続される。
【００３１】
分岐器４０には、取付部１３内における分岐器４０の位置を規制するための複数の被規制部が設けられている。複数の被規制部は、２つの第１被規制部４１ａ、４１ｂと、第２被規制部４２と、第３被規制部４３とを有している。上下方向に延びる分岐器４０の中央軸４０ｃを基準として見た場合、第１被規制部４１ａ、４１ｂは、中央軸４０ｃ上に設けられ、第２被規制部４２は中央軸４０ｃの左側に設けられ、第３被規制部４３は中央軸４０ｃの右側に設けられている。
【００３２】
２つの第１被規制部４１ａ、４１ｂのうち一方の第１被規制部４１ａは、分岐器４０の上部４０ａに設けられ、前方に窪む形状を有している。一方の第１被規制部４１ａは、後述する一方の第１位置規制部２１ａが当接する部分である。２つの第１被規制部４１ａ、４１ｂのうち他方の第１被規制部４１ｂは、分岐器４０の下部４０ｂに設けられ、前方に窪む形状を有している。他方の第１被規制部４１ｂは、後述する他方の第１位置規制部２１ｂがはまり込む部分である。第２被規制部４２は、分岐器４０の下部４０ｂに位置する左側の側壁４０ｄである。第２被規制部４２は、後述する第２位置規制部２２に対応する部分である。第３被規制部４３は、分岐器４０の下部４０ｂに位置する右側の側壁４０ｅである。第３被規制部４３は、後述する第３位置規制部２３に対応する部分である。
【００３３】
これらの第１被規制部４１ａ、４１ｂは、分岐器４０の主に前後方向の位置を規制する際に用いられ、第２被規制部４２および第３被規制部４３は、分岐器４０の前後方向および左右方向の位置を規制する際に用いられる。なお、位置を規制するとは、固定または保持されて動かない状態になっていること、または、必要以上に動かないように所定の範囲内（例えば１ｍｍ以内）で動きが制限されている状態になっていることを含む。
【００３４】
図６は、玄関子機１０の背面図である。
【００３５】
図６に示すように、玄関子機１０の取付部１３は、筐体１１の背面１１ｂ側から見て前方に窪む凹部１４を有している。凹部１４は、背面１１ｂ側から見て矩形状であり、上下方向に互いに対向する上壁１４ａおよび下壁１４ｂを有している。
【００３６】
また、取付部１３は、筐体１１の背面１１ｂ側の異なる位置にて、分岐器４０が取り付けられる複数の取付領域Ａを有している。複数の取付領域Ａは、凹部１４の内側に設けられ、筐体１１の背面１１ｂ側から見て左右方向に並んでいる。
【００３７】
取付部１３は、複数の取付領域Ａのそれぞれにて分岐器４０の位置を規制する複数の位置規制部２０を有している。取付部１３は、複数の位置規制部２０の一部である、少なくとも１つの第１位置規制部２１ａ、２１ｂを有している。具体的には、取付部１３は、第１位置規制部として、一方の第１位置規制部２１ａと他方の第１位置規制部２１ｂとを有している。
【００３８】
一方の第１位置規制部２１ａおよび他方の第１位置規制部２１ｂは、上下方向に延びる筐体１１の中央軸１１ｃ上において、上下方向に互いに対向するように配置されている。
【００３９】
一方の第１位置規制部２１ａは、取付部１３の凹部１４の上壁１４ａ側に設けられている。一方の第１位置規制部２１ａは、柱状の形状を有し、背面１１ｂに対して垂直方向（後方）に突出している。また、一方の第１位置規制部２１ａの先端の下側には、分岐器４０の上部４０ａを係止するための突起部が設けられている。一方の第１位置規制部２１ａは、上下方向に弾性変形可能である。一方の第１位置規制部２１ａの一部は、背面１１ｂから見た場合、分岐器４０の第１被規制部４１ａと重なる位置に設けられる。一方の第１位置規制部２１ａは、分岐器４０が玄関子機１０に取り付けられた場合に、分岐器４０の第１被規制部４１ａを押圧しながら接触し、分岐器４０の上部４０ａを支持する。これにより一方の第１位置規制部２１ａは、分岐器４０の前後方向の位置を規制する。
【００４０】
他方の第１位置規制部２１ｂは、凹部１４の下壁１４ｂに設けられている。他方の第１位置規制部２１ｂは、下壁１４ｂから上方に突出している。他方の第１位置規制部２１ｂは、背面１１ｂから見た場合、分岐器４０の下部４０ｂと重なる位置に設けられ、分岐器４０が取付部１３から抜け出ないように、分岐器４０の下部４０ｂを支持する。これにより、他方の第１位置規制部２１ｂは、分岐器４０の前後方向の位置を規制する。
【００４１】
また、取付部１３は、複数の位置規制部２０の一部である、第２位置規制部２２および第３位置規制部２３を有している。第２位置規制部２２および第３位置規制部２３は、下壁１４ｂに設けられている。
【００４２】
第２位置規制部２２は、筐体１１の中央軸１１ｃの左側に設けられ、第３位置規制部２３は、中央軸１１ｃの右側に設けられている。第２位置規制部２２および第３位置規制部２３のそれぞれは、下壁１４ｂから上方に突出している。第２位置規制部２２および第３位置規制部２３は、背面１１ｂから見た場合、分岐器４０の下部４０ｂと重なる位置に設けられ、分岐器４０が所定の位置に取り付けられた場合に、分岐器４０が取付部１３から抜け出ないように、分岐器４０の下部４０ｂを支持する。これにより、第２位置規制部２２および第３位置規制部２３は、分岐器４０の前後方向の位置を規制する。
【００４３】
なお、分岐器４０を取付部１３に取り付ける際は、分岐器４０を傾けながら分岐器４０の下部４０ｂを凹部１４に挿入し、その後、分岐器４０の上部４０ａを凹部１４に挿入して一方の第１被規制部４１ａを一方の第１位置規制部２１ａに係止させる。また、取付部１３から分岐器４０を取り出す際は、一方の第１位置規制部２１ａの係止を解除して、分岐器４０を傾けながら取り出す。
【００４４】
取付部１３は、これらの位置規制部２０を有することで、分岐器４０を複数の取付領域Ａにて固定する。具体的には、取付部１３は、複数の取付領域Ａとして、第１の取付領域Ａ１、第２の取付領域Ａ２および第３の取付領域Ａ３を有している。筐体１１の中央軸１１ｃから見て、第１の取付領域Ａ１は中央軸１１ｃ上に設けられ、第２の取付領域Ａ２は中央軸１１ｃの左側に設けられ、第３の取付領域Ａ３は、中央軸１１ｃの右側に設けられている。すなわち、第１の取付領域Ａ１は、第２の取付領域Ａ２と第３の取付領域Ａ３の間に設けられている。なお、複数の取付領域Ａは、左右方向に限られず、上下方向に並んでいてもよい。
【００４５】
図７Ａは、玄関子機１０の第１の取付領域Ａ１に分岐器４０が取り付けられた状態を示す図である。図７Ｂは、玄関子機１０の第２の取付領域Ａ２に分岐器４０が取り付けられた状態を示す図である。図７Ｃは、玄関子機１０の第３の取付領域Ａ３に分岐器４０が取り付けられた状態を示す図である。
【００４６】
図７Ａに示すように、第１の取付領域Ａ１にて、一方の第１位置規制部２１ａは、分岐器４０の第１被規制部４１ａ上に配置され、また、他方の第１位置規制部２１ｂは、分岐器４０の他方の第１被規制部４１ｂ上に配置される。これにより、分岐器４０の前後方向の位置が規制される。また、第２位置規制部２２および第３位置規制部２３は、分岐器４０の左右方向の位置を規制する。具体的には、第２位置規制部２２は、分岐器４０の第２被規制部４２（左の側壁４０ｄ）に対して所定の隙間をあけた状態で配置され、分岐器４０の左方向の移動を制限する。第３位置規制部２３は、分岐器４０の第３被規制部（右の側壁４０ｅ）に対して所定の隙間をあけた状態で配置され、分岐器４０の右方向の移動を制限する。すなわち、分岐器４０は、第２位置規制部２２および第３位置規制部２３の間に位置し、第２位置規制部２２および第３位置規制部２３によって左右方向の位置が規制される。
【００４７】
図７Ｂに示すように、第２の取付領域Ａ２にて、一方の第１位置規制部２１ａは、分岐器４０の第１被規制部４１ａの右側の内側面４１ａ２に当接または近接して配置される。これにより、分岐器４０の左方向の移動が制限される。また、第２位置規制部２２は、左の側壁４０ｄの内側であって、第２被規制部４２に当接または近接して配置される。これにより、分岐器４０の右方向の移動が制限される。すなわち、分岐器４０は、第１位置規制部２１ａおよび第２位置規制部２２によって、左右方向の位置が規制される。
【００４８】
図７Ｃに示すように、第３の取付領域Ａ３にて、一方の第１位置規制部２１ａは、分岐器４０の第１被規制部４１ａに左側の内側面４１ａ１に当接または近接して配置される。これにより、分岐器４０の右方向の移動が制限される。また、第３位置規制部２３は、右の側壁４０ｅの内側であって、第３被規制部４３に当接または近接して配置される。これのより、分岐器４０の左右方向の移動が制限される。すなわち、分岐器４０は、第１位置規制部２１ａおよび第３位置規制部２３によって、左右方向の位置が規制される。
【００４９】
次に、玄関子機１０の排水構造について、図７Ａ〜図７Ｃを参照しながら説明する。
【００５０】
玄関子機１０は、さらに、取付部１３に浸入した水を排出する複数の排出部１５ａ、１５ｂを有している。各排出部１５ａ、１５ｂは、筐体１１に設けられている。具体的には、排出部１５ａは、下壁１４ｂのうちの、筐体１１の中央軸１１ｃから見て左側に設けられ、排出部１５ｂは、下壁１４ｂのうちの、中央軸１１ｃから見て右側に設けられている。
【００５１】
排出部１５ａ、１５ｂの少なくとも一部は、分岐器４０が複数の取付領域Ａのうちの１つの取付領域にて取り付けられた場合に、１つの取付領域と異なる他の取付領域に連通する。
【００５２】
例えば、分岐器４０が第２の取付領域Ａ２にて取り付けられた場合は、第２の取付領域Ａ２の反対側にある第３の取付領域Ａ３と排出部１５ｂとが連通する。分岐器４０が第３の取付領域Ａ３にて取り付けられた場合は、第３の取付領域Ａ３の反対側にある第２の取付領域Ａ２と排出部１５ａとが連通する。分岐器４０が第１の取付領域Ａ１にて取り付けられた場合は、第２の取付領域Ａ２と排出部１５ａとが連通し、第３の取付領域Ａ３と排出部１５ｂとが連通する。これにより、取付部１３内の水分が排出部１５ａまたは１５ｂを通って外に排出されやすい構造となっている。
【００５３】
［３．効果など］
以上説明したように、本実施の形態に係る玄関子機１０は、集合施設Ｈ１に設けられる情報端末２と通信する通信部１２と、通信部１２を収納する筐体１１と、筐体１１の背面１１ｂ側に設けられ、かつ、情報端末２を集合施設Ｈ１の幹線Ｌ１に接続するための分岐器４０が取り付けられる取付部１３とを備える。取付部１３は、筐体１１の背面１３ｂ側の異なる位置にて分岐器４０が取り付けられる複数の取付領域Ａを有する。
【００５４】
これによれば、例えば、玄関子機１０を取り付けるための構造物１１１の開口位置または開口形状が異なる場合であっても、その開口位置または開口形状に合わせて分岐器４０の位置を変えることができる。これにより、玄関子機１０を建物の構造物１１１に簡易に設置することができる。
【００５５】
また、複数の取付領域Ａは、筐体１１の背面１１ｂ側から見て上下方向および左右方向の少なくとも一方の方向に並んでいてもよい。
【００５６】
これによれば、例えば、構造物１１１の開口位置が上下方向または左右方向に異なる場合であっても、その開口位置に合わせて分岐器４０の位置を変えることができる。これにより、玄関子機１０を建物の構造物１１１に簡易に設置することができる。
【００５７】
また、取付部１３は、複数の取付領域Ａのそれぞれにて分岐器４０の位置を規制する複数の位置規制部２０を有していてもよい。
【００５８】
これによれば、複数の位置規制部２０を用いて分岐器４０の位置がずれにくいように位置を規制することができる。これにより、玄関子機１０を建物の構造物１１１に簡易に設置することができる。
【００５９】
また、取付部１３は、複数の位置規制部２０の一部である少なくとも１つの第１位置規制部（例えば第１位置規制部２１ａ、２１ｂ）を有し、第１位置規制部２１ａ、２１ｂは、筐体１１の背面１１ｂ側から見て分岐器４０の前後方向の位置を規制してもよい。
【００６０】
これによれば、第１位置規制部２１ａ、２１ｂを用いて分岐器４０の前後方向の位置を規制することができる。これにより、玄関子機１０を建物の構造物１１１に簡易に設置することができる。
【００６１】
また、取付部１３は、複数の位置規制部２０の一部である第２位置規制部２２および第３位置規制部２３を有し、第２位置規制部２２および第３位置規制部２３は、複数の取付領域Ａのうちの第１の取付領域Ａ１にて分岐器４０の上記少なくとも一方の方向の位置を規制してもよい。
【００６２】
これによれば、第２位置規制部２２および第３位置規制部２３を用いて、第１の取付領域Ａ１にて分岐器４０の上下方向または左右方向の位置を規制することができる。これにより、玄関子機１０を建物の構造物１１１に簡易に設置することができる。
【００６３】
また、第２位置規制部２２は、複数の取付領域Ａのうちの第２の取付領域Ａ２にて分岐器４０の上記少なくとも一方の方向の位置を規制する、または、第３位置規制部２３は、複数の取付領域Ａのうちの第３の取付領域Ａ３にて分岐器４０の前記少なくとも一方の方向の位置を規制してもよい。
【００６４】
これによれば、第２位置規制部２２を用いて、第２の取付領域Ａ２にて分岐器４０の上下方向または左右方向の位置を規制することができる。また、第３位置規制部２３を用いて、第３の取付領域Ａ３にて分岐器４０の上下方向または左右方向の位置を規制することができる。これにより、玄関子機１０を建物の構造物１１１に簡易に設置することができる。
【００６５】
また、少なくとも１つの第１位置規制部２１ａ、２１ｂは、第２の取付領域Ａ２および第３の取付領域Ａ３のそれぞれの取付領域にて分岐器４０の上記少なくとも一方の方向の位置を規制してもよい。
【００６６】
これによれば、第１位置規制部２１ａ、２１ｂを用いて、第２の取付領域Ａ２および第３の取付領域Ａ３にて分岐器４０の上下方向または左右方向の位置を規制することができる。これにより、玄関子機１０を建物の構造物１１１に簡易に設置することができる。
【００６７】
また、複数の取付領域Ａは、筐体１１の背面１１ｂ側から見て左右方向に並び、少なくとも１つの第１位置規制部は、一方の第１位置規制部２１ａおよび他方の第１位置規制部２１ｂを有し、一方の第１位置規制部２１ａおよび他方の第１位置規制部２１ｂは、上下方向に互いに対向するように配置されていてもよい。
【００６８】
これによれば、分岐器４０を左右方向に並ぶ取付領域に配置し、また、第１位置規制部２１ａ、２１ｂを用いて分岐器４０の上下方向の位置を規制することができる。これにより、玄関子機１０を建物の構造物１１１に簡易に設置することができる。
【００６９】
また、取付部１３は、筐体１１の背面１１ｂ側から見て前方に窪んだ凹部１４を有し、一方の第１位置規制部２１ａは、凹部１４の上下方向に対向する壁のうち上壁１４ａに設けられ、他方の第１位置規制部２１ｂは、上記対向する側のうち下壁１４ｂに設けられていてもよい。
【００７０】
これによれば、分岐器４０を凹部１４の上壁１４ａおよび下壁１４ｂの間に収容し、かつ、第１位置規制部２１ａ、２１ｂを用いて分岐器４０の上下方向の位置を規制することが可能となる。これにより、玄関子機１０を建物の構造物１１１に簡易に設置することができる。
【００７１】
また、第２位置規制部２２および第３位置規制部２３は、下壁１４ｂに設けられていてもよい。
【００７２】
これによれば、第１位置規制部２１ａ、２１ｂ、第２位置規制部２２および第３位置規制部２３を用いて、分岐器４０の位置を的確に規制することができる。これにより、玄関子機１０を建物の構造物１１１に簡易に設置することができる。
【００７３】
また、さらに、取付部１３に浸入した水を排出する複数の排出部１５ａ、１５ｂを有し、複数の排出部１５ａ、１５ｂの少なくとも一部は、分岐器４０が複数の取付領域Ａのうちの１つの取付領域にて取り付けられた場合に、１つの取付領域と異なる他の取付領域に連通してもよい。
【００７４】
これによれば、取付部１３内の水分を排出部１５ａまたは１５ｂを通して外に排出することができる。
【００７５】
本実施の形態に係る玄関子機セット９は、上記玄関子機１０と、分岐器４０とを備える。
【００７６】
これによれば、例えば、玄関子機セット９を取り付けるための構造物１１１の開口位置または開口形状が異なる場合であっても、その開口位置または開口形状に合わせて分岐器４０の位置を変えることができる。これにより、玄関子機セット９を建物の構造物１１１に簡易に設置することができる。
【００７７】
本実施の形態に係るインターホンシステム１は、上記玄関子機１０と、情報端末２とを備える。
【００７８】
これにより、玄関子機１０を建物の構造物１１１に簡易に設置することができるインターホンシステム１を提供することができる。
【００７９】
本実施の形態に係るインターホンシステム１は、上記玄関子機１０と、情報端末２と、分岐器４０とを備える。
【００８０】
これにより、玄関子機セット９を建物の構造物１１１に簡易に設置することができるインターホンシステム１を提供することができる。
【００８１】
［４．実施の形態の変形例１］
次に、実施の形態の変形例１に係る玄関子機１０Ａについて、図８〜図９Ｂを参照しながら説明する。変形例１では、玄関子機１０Ａが分岐器４０を移動自在に支持する例について説明する。
【００８２】
図８は、変形例１に係る玄関子機１０Ａの背面図である。
【００８３】
図８に示すように、取付部１３は、筐体１１の背面１１ｂ側の異なる位置にて、分岐器４０が取り付けられる複数の取付領域Ａを有している。具体的には、取付部１３は、複数の取付領域Ａとして、第２の取付領域Ａ２および第３の取付領域Ａ３を有している。
【００８４】
取付部１３は、第２の取付領域Ａ２および第３の取付領域Ａ３のそれぞれにて分岐器４０の位置を規制する複数の位置規制部２０を有している。取付部１３は、少なくとも１つの第１位置規制部２１ａ、２１ｂを有している。具体的には、取付部１３は、第１位置規制部として、一方の第１位置規制部２１ａと他方の第１位置規制部２１ｂとを有している。なお、変形例１の取付部１３には、第２位置規制部２２および第３位置規制部２３が設けられていない。
【００８５】
一方の第１位置規制部２１ａおよび他方の第１位置規制部２１ｂのそれぞれは、分岐器４０の前後方向の位置を規制する。また、一方の第１位置規制部２１ａおよび他方の第１位置規制部２１ｂのそれぞれは、左右方向に分岐器４０が摺動可能となる状態で、分岐器４０の位置を規制する。
【００８６】
ここで、分岐器４０の構造について、図４Ｂおよび図５Ｂを参照しながら説明する。図４Ｂおよび図５Ｂに示すように、分岐器４０には、取付部１３内における分岐器４０の位置を規制するための複数の被規制部が設けられている。変形例１では、複数の被規制部として、２つの被規制部４６、４７を有している。各被規制部４６、４７は、ストッパとしての機能を有し、分岐器４０の下部４０ｂにて、下方に突出するように設けられている。被規制部４６は中央軸４０ｃの左側に設けられ、被規制部４７は、中央軸４０ｃの右側に設けられている。
【００８７】
図９Ａは、玄関子機１０Ａの第２の取付領域Ａ２に分岐器４０が配置された状態を示す図である。図９Ｂは、玄関子機１０Ａの第３の取付領域Ａ３に分岐器４０が配置された状態を示す図である。
【００８８】
図９Ａに示すように、第２の取付領域Ａ２にて、一方の第１位置規制部２１ａは、分岐器４０の第１被規制部４１ａの右側の内側面４１ａ２に当接し、また、他方の第１位置規制部２１ｂは、分岐器４０の被規制部４７に当接する。これにより、分岐器４０の左方向の移動が制限される。すなわち、分岐器４０は、一方の第１位置規制部２１ａ、および、他方の第１位置規制部２１ｂによって、左方向の位置が規制される。なお、第２の取付領域Ａ２では、分岐器４０は、右方向への移動は制限されておらず、右方向への移動が可能となっている。
【００８９】
図９Ｂに示すように、第３の取付領域Ａ３にて、一方の第１位置規制部２１ａは、分岐器４０の第１被規制部４１ａの左側の内側面４１ａ１に当接し、また、他方の第１位置規制部２１ｂは、分岐器４０の被規制部４６に当接する。これにより、分岐器４０の右方向の移動が制限される。すなわち、分岐器４０は、一方の第１位置規制部２１ａ、および、他方の第１位置規制部２１ｂによって、右方向の位置が規制される。なお、第３の取付領域Ａ３では、分岐器４０は、左方向への移動は制限されておらず、左方向への移動が可能となっている。
【００９０】
変形例１の玄関子機１０Ａでも、構造物１１１の開口位置または開口形状に合わせて分岐器４０の位置を変えることができる。これにより、玄関子機１０Ａを建物の構造物１１１に簡易に設置することができる。
【００９１】
また、少なくとも１つの第１位置規制部２１ａ、２１ｂは、上記少なくとも一方の方向に分岐器４０が摺動可能となる状態で上記位置を規制してもよい。
【００９２】
これによれば、構造物１１１の開口位置または開口形状に合わせて、分岐器４０の位置を柔軟に変えることができる。これにより、玄関子機１０Ａを建物の構造物１１１に簡易に設置することができる。
【００９３】
［５．実施の形態の変形例２］
次に、実施の形態の変形例２に係る玄関子機１０Ｂについて、図１０〜図１１Ｂを参照しながら説明する。変形例２では、玄関子機１０Ｂが分岐器４０を移動自在に支持し、かつ、止め爪にて固定する例について説明する。
【００９４】
図１０は、変形例２に係る玄関子機１０Ｂの背面図である。
【００９５】
図１０に示すように、取付部１３は、筐体１１の背面１１ｂ側の異なる位置にて、分岐器４０が取り付けられる複数の取付領域Ａを有している。具体的には、取付部１３は、複数の取付領域Ａとして、第２の取付領域Ａ２および第３の取付領域Ａ３を有している。
【００９６】
一方の第１位置規制部２１ａおよび他方の第１位置規制部２１ｂのそれぞれは、左右方向に分岐器４０が摺動可能となる状態で、分岐器４０の位置を規制する。
【００９７】
変形例２の取付部１３は、第２の取付領域Ａ２および第３の取付領域Ａ３のそれぞれにて分岐器４０の位置を規制する複数の第４位置規制部２４ａ、２４ｂを有している。第４位置規制部２４ａ、２４ｂは、左右方向における所定の位置で、分岐器４０の左右方向における位置を規制する。
【００９８】
第４位置規制部２４ａ、２４ｂは、下壁１４ｂから上方に向けてとがった山状の形状を有し、上下方向に弾性変形可能である。各第４位置規制部２４ａ、２４ｂは、左右に摺動する分岐器４０を固定するための止め爪である。分岐器４０は、第４位置規制部２４ａの山状の傾斜部を乗り越えることで、第２の取付領域Ａ２に配置され、また、第４位置規制部２４ｂの山状の傾斜部を乗り越えることで、第３の取付領域Ａ３に配置される。
【００９９】
図１１Ａは、玄関子機１０Ｂの第２の取付領域Ａ２に分岐器４０が配置された状態を示す図である。図１１Ｂは、玄関子機１０Ｂの第３の取付領域Ａ３に分岐器４０が配置された状態を示す図である。
【０１００】
図１１Ａに示すように、第２の取付領域Ａ２にて、第４位置規制部２４ａは、第２被規制部４２に当接または近接し、分岐器４０の左右方向の移動を制限する。すなわち、分岐器４０は、第４位置規制部２４ａによって、左右方向の位置が規制される。
【０１０１】
図１１Ｂに示すように、第３の取付領域Ａ３にて、第４位置規制部２４ｂは、第３被規制部４３に当接または近接し、分岐器４０の左右方向の移動を制限する。すなわち、分岐器４０は、第４位置規制部２４ｂによって、左右方向の位置が規制される。
【０１０２】
変形例２の玄関子機１０Ｂでも、構造物１１１の開口位置または開口形状に合わせて分岐器４０の位置を変えることができる。これにより、玄関子機１０Ｂを建物の構造物１１１に簡易に設置することができる。
【０１０３】
また、取付部１３は、複数の位置規制部２０の一部である少なくとも１つの第４位置規制部（例えば第４位置規制部２４ａ、２４ｂ）を有し、第４位置規制部２４ａ、２４ｂは、上記少なくとも一方の方向における所定の位置で、分岐器４０の上記少なくとも一方の方向における位置を規制してもよい。
【０１０４】
これによれば、構造物１１１の開口位置または開口形状に合わせて、分岐器４０の位置を柔軟に変え、また、変えた後の分岐器４０の位置を所定の位置に固定することができる。これにより、玄関子機１０Ｂを建物の構造物１１１に簡易に設置することができる。
【０１０５】
（その他の実施の形態）
以上、実施の形態について説明したが、本発明は、上記実施の形態に限定されるものではない。
【０１０６】
上記実施の形態では、情報端末としてインターホン親機が例示されたが、情報端末は、スマートフォンまたはタブレット端末などの携帯端末やパーソナルコンピューターであってもよい。また、情報端末は、集合施設の管理人室等に設置される管理人室親機であってもよい。
【０１０７】
また、上記実施の形態で説明されたインターホンシステムは、単一の装置として実現されてもよいし、複数の装置によって実現されてもよい。インターホンシステムが複数の装置によって実現される場合、上記実施の形態で説明されたインターホンシステムが備える構成要素は、複数の装置にどのように振り分けられてもよい。
【０１０８】
その他、各実施の形態に対して当業者が思いつく各種変形を施して得られる形態、または、本発明の趣旨を逸脱しない範囲で各実施の形態における構成要素および機能を任意に組み合わせることで実現される形態も本発明に含まれる。
【符号の説明】
【０１０９】
１      インターホンシステム
２      情報端末（インターホン親機）
５      制御装置
９      玄関子機セット
１０、１０Ａ、１０Ｂ  玄関子機
１１    筐体
１１ｂ  背面
１２    通信部
１３    取付部
１４    凹部
１４ａ  上壁
１４ｂ  下壁
１５ａ、１５ｂ  排出部
２０    位置規制部
２１ａ、２１ｂ  第１位置規制部
２２    第２位置規制部
２３    第３位置規制部
２４ａ、２４ｂ  第４位置規制部
４０    分岐器
Ａ      取付領域
Ａ１    第１の取付領域
Ａ２    第２の取付領域
Ａ３    第３の取付領域
Ｈ１    集合施設
Ｌ１    幹線
【図１】
2020113936.tif 000003
【図２】
2020113936.tif 000004
【図３】
2020113936.tif 000005
【図４Ａ】
2020113936.tif 000006
【図４Ｂ】
2020113936.tif 000007
【図５Ａ】
2020113936.tif 000008
【図５Ｂ】
2020113936.tif 000009
【図６】
2020113936.tif 000010
【図７Ａ】
2020113936.tif 000011
【図７Ｂ】
2020113936.tif 000012
【図７Ｃ】
2020113936.tif 000013
【図８】
2020113936.tif 000014
【図９Ａ】
2020113936.tif 000015
【図９Ｂ】
2020113936.tif 000016
【図１０】
2020113936.tif 000017
【図１１Ａ】
2020113936.tif 000018
【図１１Ｂ】
2020113936.tif 000019